(57)【要約】【課題】ブラシ材の洗浄機能を十分に発揮させたうえに、さらに洗浄剤の泡の洗浄作用を最大限発揮させるため、植設側に泡立て部材を設置することにより、泡立て部材で発生させた泡を減少させることなくブラシ材に供給することができ、しかも泡立て部材で発生させた泡をブラシ材の全面にまで行き渡り易くして、充分な量の泡をブラシ材に保持することができ身体を優しく、傷つけることなく洗浄力を高めることができる洗浄ブラシを提供する。【解決手段】泡立て部材１がブラシ材２と共に本体３の同じ側に設置され、この泡立て部材１の周辺に前記ブラシ材２を配置したものとしている。前記泡立て部材１の上面１ａとブラシ材２の上面２ａとの間に空間Ｓが形成されるようにしている。さらに、前記泡立て部材１は、ブラシ材２の略中心部に位置するようにしている。【選択図】    図４
0003152980.tif 000002
【実用新案登録請求の範囲】
【請求項１】
泡立て部材（１）がブラシ材（２）と共に本体（３）の同じ側に設置され、この泡立て部材（１）の周辺に前記ブラシ材（２）を配置したことを特徴とする洗浄ブラシ。
【請求項２】
前記泡立て部材（１）の上面（１ａ）とブラシ材（２）の上面（２ａ）との間に適度な空間（Ｓ）を形成させたことを特徴とする請求項１記載の洗浄ブラシ。
【請求項３】
前記泡立て部材（１）を、ブラシ材（２）の略中心部に位置するようにしたことを特徴とする請求項１または２記載の洗浄ブラシ。
【請求項４】
前記ブラシ材（２）の上面（２ａ）の面積を、泡立て部材（１）の上面（１ａ）の面積の２〜３倍にしたことを特徴とする請求項２記載の洗浄ブラシ。
【請求項５】
前記ブラシ材（２）の上面（２ａ）を泡立て部材（１）の上面（１ａ）より、５〜１０ｍｍ高くしたことを特徴とする請求項２記載の洗浄ブラシ。
【考案の詳細な説明】
【技術分野】
【０００１】
この考案は、例えば頭髪、顔、腕や手足などの全身を洗うのに適した洗浄ブラシに関するものである。
【背景技術】
【０００２】
従来、この種の洗浄ブラシは、例えば図１１に示したように、ボディブラシとして、側部に把手１１を設けた本体１２内に、一方に毛ブラシ１３を植設し、他方にスポンジ１４を取り付けたブラシ体１５を嵌入したものとしている。さらに、ブラシ体１５は毛ブラシ１３が本体１２より突出する位置とスポンジ１４が本体１２より突出する位置の二つの位置において本体１２内に係止されるようにしている（特許文献１）。
【０００３】
このように構成した従来の洗浄ブラシは、浴場において背中などを洗うのに、毛ブラシ１３のみを植設しただけでは、スポンジ１４で洗いたい場合に不便であるので、一方に毛ブラシ１３を、他方にスポンジ１４を取り付けることにより便利にしたものである。そして、この従来の洗浄ブラシでは、使用時に毛ブラシ１３及びスポンジ１４が把手１１から横方向に充分に突出したものでありながら、ブラシ本体部分を小さくでき、使いやすく体裁もよいという効果を有するとしている。
【０００４】
また、この種の洗浄ブラシは、例えば図１２に示したように、身体用手入れ具として、柔軟性を有する薄板状の本体２１の外面２２に多数の突起２３から構成されるブラシ部２４を設けた洗浄部材２５と、柔軟性を有する薄板状の本体２６の外面２７に多数の凸部２８を設けたマッサージ部材２９との間に、含ませた洗浄剤を泡立てられるようにした泡立て部材３１を設けたものとしている。さらに、洗浄部材２５には、泡立てられた洗浄剤が通る孔３２を設けたものとすることができるとしている（特許文献２）。
【０００５】
このように構成した従来の洗浄ブラシは、全体的に柔軟性を有しており、身体表面に沿ってしならせることが可能で、従来のハンドル部を握って洗うボディブラシとは異なり、直接握って洗浄部材２５で身体を擦ることができるので、擦る場所などに応じて力の入れ具合の調整や加減を行いやすい。しかも、泡立て部材３１により、洗浄剤を十分に泡立てて使用することができ、また、マッサージ部材２９により身体のマッサージのために使用することもできるとしている。
【先行技術文献】
【特許文献】
【０００６】
【特許文献１】実公平２−３７４３５号公報
【特許文献２】特開２００６−６５９８号公報
【考案の概要】
【考案が解決しようとする課題】
【０００７】
しかしながら、図１１に示した上記従来の洗浄ブラシでは、一方に毛ブラシ１３を、他方にスポンジ１４を取り付けているので、スポンジ１４で発生させた泡を、毛ブラシ１３に付け直さなければならず、この時にスポンジ１４で発生させた泡が減少してしまい、充分な量の泡を毛ブラシ１３に保持することができないという問題点を有していた。
【０００８】
また、上記従来の洗浄ブラシでは、スポンジ１４で発生させた泡を、毛ブラシ１３に付け直すときに、一部の泡が流れ落ちてしまい、充分な量の泡を毛ブラシ１３に保持することができないという問題点を有していた。
【０００９】
さらに、図１２に示した上記従来の洗浄ブラシでは、洗浄部材２５とマッサージ部材２９との間に泡立て部材３１を設けたものとしているので、泡立て部材３１の周囲から発生した泡を、洗浄部材２５の周囲には供給し易いが、洗浄部材２５の中心部には供給し難く、充分な量の泡を洗浄部材２５に保持することができないという問題点を有していた。
【００１０】
また、上記洗浄ブラシでは、泡立て部材３１の内部から発生した泡が通る孔３２を設けたものとすることができるとしているが、このようにしたとしても、発生した泡は洗浄部材２５の後方から前方に送られることになるので、洗浄部材２５の前面にまで行き渡る間に泡が減少してしまい、充分な量の泡を洗浄部材２５に保持することができないという問題点を有していた。
【００１１】
そこで、この考案は、上記従来の問題点を解決するものであり、ブラシ材の洗浄機能を十分に発揮させたうえに、さらに洗浄剤の泡の洗浄作用を最大限発揮させるため、ブラシ材側に泡立て部材を設置することにより、泡立て部材で発生させた泡を減少させることなくブラシ材に供給することができ、しかも泡立て部材で発生させた泡をブラシ材の全面にまで行き渡り易くして、充分な量の泡をブラシ材に保持することができ、身体を優しく傷つけることなく洗浄力を高めることができる洗浄ブラシを提供することを目的としてなされたものである。
【課題を解決するための手段】
【００１２】
そのため、この考案の洗浄ブラシは、泡立て部材１がブラシ材２と共に本体３の同じ側に設置され、この泡立て部材１の周辺に前記ブラシ材２を配置したものとしている。
【００１３】
そして、この考案の洗浄ブラシは、前記泡立て部材１の上面１ａとブラシ材２の上面２ａとの間に空間Ｓが形成されるようにしている。
【００１４】
さらに、この考案の洗浄ブラシは、前記泡立て部材１を、ブラシ材２の略中心部に位置するようにしている。
【００１５】
さらに、この考案の洗浄ブラシは、前記ブラシ材２の上面２ａの面積を、泡立て部材１の上面１ａの面積の２〜３倍にしている。
【００１６】
さらに、この考案の洗浄ブラシは、前記ブラシ材２の上面２ａを泡立て部材１の上面１ａより、５〜１０ｍｍ高くしている。
【考案の効果】
【００１７】
この考案の洗浄ブラシは、以上に述べたように構成されており、ブラシ材の洗浄機能を十分に発揮させたうえに、さらに洗浄剤の泡の洗浄作用を最大限発揮させるため、ブラシ材側に泡立て部材を設置することにより、泡立て部材で発生させた泡を減少させることなくブラシ材に供給することができ、しかも泡立て部材で発生させた泡をブラシ材の全面にまで行き渡り易くして、充分な量の泡をブラシ材に保持し、身体を優しく傷つけることなく洗浄力を高めることができるものとなった。
【図面の簡単な説明】
【００１８】
【図１】この考案の洗浄ブラシの一実施形態を示す斜視図である。
【図２】図１に示すこの考案の洗浄ブラシの正面図である。
【図３】図１に示すこの考案の洗浄ブラシの側面図である。
【図４】図２中のＡ−Ａ線によるこの考案の洗浄ブラシの断面図である。
【図５】この考案の洗浄ブラシの泡立て部材の好ましい形態の第一例を示す斜視図である。
【図６】この考案の洗浄ブラシの泡立て部材の好ましい形態の第二例を示す斜視図である。
【図７】この考案の洗浄ブラシの泡立て部材の好ましい形態の第三例を示す斜視図である。
【図８】この考案の洗浄ブラシの泡立て部材の好ましい形態の第四例を示す斜視図である。
【図９】この考案の洗浄ブラシの泡立て部材の好ましい形態の第五例を示す斜視図である。
【図１０】この考案の洗浄ブラシの泡立て部材の好ましい形態の第六例を示す斜視図である。
【図１１】従来の洗浄ブラシの一例を示しており、この洗浄ブラシの断面図である。
【図１２】従来の洗浄ブラシの他の例を示しており、この洗浄ブラシの断面図である。
【考案を実施するための形態】
【００１９】
以下、この考案の洗浄ブラシを実施するための形態を、図面に基づいて詳細に説明する。
【００２０】
先ず、この考案の洗浄ブラシは、図１〜４に示したように、泡立て部材１とブラシ材２とが本体３の同じ側に設置され、この泡立て部材１の周辺にブラシ材２を配置したものとしている。このようにすることにより、泡立て部材１で発生させた泡は、ブラシ材２に付け直さなくても、泡立て部材１からブラシ材２に自然に行き渡るものになる。
【００２１】
前記泡立て部材１は、スポンジ等の多孔質体や、適度な空間を保持したネット状からなるものとしており、略円柱形状にしており、ブラシ材２の略中心部に位置するようにしている。この泡立て部材１は、液状や固形または粉末状の洗浄剤を塗布させたり、含浸させ、泡立て部材１の上面１ａとブラシ材２の上面２ａとの間に適度な空間Ｓを形成させたうえで、泡立て部材１を伸縮させることによって泡を発生させるものとしている。このようにすることにより、泡立て部材１から発生する泡の発生をより促進すると共に、ブラシ材２に次々に供給されて、ブラシ材２の中心部側から周辺部側に徐々に全面に行き渡るので、このブラシ材２から流れ落ち難いものになる。
【００２２】
そして、前記略円柱形状にした泡立て部材１は、図５に示したように、通常は上面１ａ及び側面１ｂを平滑な面にしており、上面１ａ及び側面１ｂから充分な量の泡が発生するようにしている。
【００２３】
さらに、前記略円柱形状にした泡立て部材１は、図６に示したように上面１ａを凹凸形状にしたり、図７に示したように側面１ｂに複数本の溝ｄを縦方向に形成したものとしたり、図８に示したように側面１ｂに複数本の溝ｄを横方向に形成したものとしたり、図示していないが側面１ｂに複数本の溝ｄを斜め方向に形成したものとすることができる。このようにすることにより、前記泡立て部材１の上面１ａや側面１ｂの表面積がより広くなるので、より充分な量の泡を発生させることができるものになる。
【００２４】
また、前記略円柱形状にした泡立て部材１は、図９に示したように、上面１ａから下面１ｃにかけて貫通孔ｈを設けたものとしたり、図１０に示したように、図５に示した泡立て部材１より小さい径の略円柱形状にした泡立て部材１を複数本設けたものとすることもできる。
【００２５】
このようにすることにより、前記泡立て部材１の上面１ａや側面１ｂの表面積がより広くなるので、より充分な量の泡を発生させることができ、頭髪、顔、腕や手足などの各々の身体表面を洗浄するのに、最適な材質により構成されたブラシ材２の洗浄機能を十分に発揮させたうえに、さらに洗浄剤の泡の洗浄作用を最大限発揮させるため、ブラシ材２側に設置した泡立て部材の貫通孔ｈの内部や複数本の泡立て部材１の空間に、発生させた泡をより保持しておき易いものになった。
【００２６】
前記ブラシ材２は、図示したようにブラシ毛にした場合には、直径０. ３〜１ｍｍのブラシ毛を数十本、束ねたものを、２〜５ｍｍの間隔をおいて数十個所に配置して、前記泡立て部材１の周辺を略円形状に取り囲んで配置したものとしているが、必ずしもブラシ毛にする必要はなく、長尺や短尺の繊維状体等とすることもできる。さらに、このブラシ材２は、前記泡立て部材１の周辺を略円形状に取り囲んで配置したものとしているが、略円形状に限らず、略楕円形状や略多角形状、球体形状などとすることができ、前記泡立て部材１の周辺を任意の形状で取り囲んで配置したものとすることができ、前記泡立て部材１を略中心部に位置するようにしている。
【００２７】
そして、各々の身体表面を洗浄するのに、最適な材質により構成された前記ブラシ材２の上面２ａは、使用者の身体表面と接触するようにしており、その全体としての接触面積を、泡立て部材１の上面１ａの面積の１〜５倍とするのが好ましいが、２〜３倍とするのがより好ましい。さらに、前記ブラシ材２の上面２ａは、泡立て部材１の上面１ａより、実寸で５〜１０ｍｍ高くしており、泡立て部材１との間に空間Ｓが形成されるようにしている。このようにすることにより、泡立て部材１から発生する泡の発生をより促進させると共に、泡立て部材１から発生させた泡が、前記空間Ｓに入り、この空間Ｓで保持されることになり、発生させた泡をより保持しておき易いものになる。
【００２８】
前記本体３は、木製、合成樹脂製、金属製等とすることができ、図示したように、把手４を設けたものとすることができるが、把手４は必ずしも必要ではなく、無くてもよい。そして、前記本体３は、図示したものでは平坦な円板状にしたものとし、中央に前記泡立て部材１の下面１ｃを接着し、この泡立て部材１の周辺の本体３にブラシ毛としたブラシ材２を植毛したものとしている。なお、前記本体３は、泡立て部材１とブラシ材２とを同じ側に設置できるものであれば、前記したように平坦な板体にしたものでなくても、湾曲させた板体としたり、平坦面や曲面を有する塊状体などとすることができる。
【００２９】
以上のように構成されたこの考案の洗浄ブラシは、泡立て部材１で発生させた泡を減少させることなくブラシ材２に供給することができ、しかも泡立て部材１で発生させた泡をブラシ材２の全面にまで行き渡り易くして、充分な量の泡をブラシ材２に保持することができる。
【００３０】
したがって、この考案の洗浄ブラシは、頭髪用とした場合には、泡立て部材１にシャンプーを塗布させたり、含浸させて、ブラシ材２で頭髪、頭皮を擦りつけ洗浄すると共に、泡立て部材１を押圧したり、押圧を解放したりして、その泡立て部材１を伸縮させることにより、短時間で泡を発生させることができ、少ない量のシャンプーでも効率よく泡立てることができ、洗浄力を高めると共に、頭髪、頭皮を短時間で優しく洗浄することができる。
【００３１】
さらに、この考案の洗浄ブラシは、顔用とした場合にも、泡立て部材１に洗顔剤やメイク落とし用洗浄剤を塗布させたり、含浸させて、ブラシ材２でデリケートな顔面の肌を傷つけることなく、優しく擦りつけ洗浄すると共に、泡立て部材１を押圧したり、押圧を解放したりして、その泡立て部材１を伸縮させることにより、短時間で泡を発生させることができ、少ない量の洗顔剤でも効率よく泡立てることができ、洗浄力を高めると共に、顔面のデリケートな肌を短時間で優しく洗浄、メイク落としをすることができる。
【００３２】
また、この考案の洗浄ブラシは、腕や手足などの他、全身用とした場合にも、泡立て部材１に液状や固形または粉末状の洗浄剤を塗布させたり、含浸させて、ブラシ材２で全身を擦りつけ洗浄すると共に、泡立て部材１を押圧したり、押圧を解放したりして、その泡立て部材１を伸縮させることにより、短時間で泡を発生させることができ、少ない量の洗顔剤でも効率よく泡立てることができ、洗浄力を高めると共に、デリケートな肌を短時間で優しく洗浄することができる。特に、使用者がアレルギー体質の場合であっても、短時間で洗浄が完了するので、傷みを感じることなく、全身の洗浄が可能となる。
【００３３】
さらに、この考案の洗浄ブラシは、女性のネイルアートを施術した爪部分の細かな凹凸面であっても、今まで洗浄が不十分であった細かな凹凸面であっても、泡立て部材１より発生させたきめ細かな泡により、洗浄が可能となり、子供など手の洗浄作業に不馴れな使用者の場合であっても、泡立て部材１より発生させたきめ細かな泡により、さらに洗浄力が高められ、食中毒などの予防に大変有効である。
【００３４】
また、この考案の洗浄ブラシは、洗浄剤を保持できるタンク状の構造体をブラシ基台の裏側に設置することにより、洗浄剤を自在に泡立て部材１に供給することができ、最適な洗浄剤量を調整補給することができるものとなる。
【００３５】
さらに、この考案の洗浄ブラシは、人の身体用洗浄ブラシとしての他、犬や猫などのペットの洗浄ブラシとしても最適である。特に、身体表面に長い体毛がある場合などの洗浄時にも泡の発生が容易となり、ペットに優しく、短時間で泡の洗浄効果が十分に発揮され、ペットが嫌がることなく短時間で効果的に洗浄できる、優れた洗浄ブラシとなった。
【００３６】
また、この考案の洗浄ブラシは、人の身体用洗浄ブラシとしての他、スポーツ用品などの洗浄ブラシとしても最適でもある。各種のボールやシューズなどの汚れのひどい物を洗浄する場合などにおいても、洗浄時に泡の発生が容易となり、短時間で泡の洗浄効果が十分に発揮され、汚れのひどい場合であっても、泡の洗浄力により強力に洗浄できる、優れた洗浄ブラシとなった。
【００３７】
よって、この考案の洗浄ブラシは、泡の洗浄力を利用し、様々な洗浄において、様々な分野や用途に利用可能な優れた洗浄ブラシとなった。
【符号の説明】
【００３８】
１  泡立て部材
１ａ  上面
２  ブラシ材
２ａ  上面
３  本体
Ｓ  空間
【図１】
0003152980.tif 000003
【図２】
0003152980.tif 000004
【図３】
0003152980.tif 000005
【図４】
0003152980.tif 000006
【図５】
0003152980.tif 000007
【図６】
0003152980.tif 000008
【図７】
0003152980.tif 000009
【図８】
0003152980.tif 000010
【図９】
0003152980.tif 000011
【図１０】
0003152980.tif 000012
【図１１】
0003152980.tif 000013
【図１２】
0003152980.tif 000014